(57)【要約】      （修正有）【課題】通信制御装置に実装された基板ユニットの識別情報の読み取りにおける外部装置への入力の人為的なミスを減少できる通信制御装置を提供する。【解決手段】通信制御装置１００は、交換自在に実装されかつ識別情報を保持する不揮発性メモリを各々が有する１以上の基板ユニット１１３と、基板ユニットを識別する識別手段ＤＳＳと、基板ユニットの識別情報を請求する請求命令を受付ける命令受付手段ＯＲＳと、請求命令に基づき、基板ユニットから識別情報を検出する検出手段ＤＴＳと、通信可能な外部装置へ、検出手段による検出結果の識別情報を通知する通知手段ＮＴＳと、を有する。【選択図】図２
2020141310.tif 000002
【特許請求の範囲】
【請求項１】
通信制御装置であって
交換自在に実装されかつ識別情報を保持する不揮発性メモリを各々が有する１以上の基板ユニットと、
前記基板ユニットを識別する識別手段と、
前記基板ユニットの前記識別情報を請求する請求命令を受付ける命令受付手段と、
前記請求命令に基づき、前記基板ユニットから前記識別情報を検出して前記識別手段に保持させる検出手段と、
通信可能な外部装置へ、前記検出手段による検出結果の前記識別情報を通知する通知手段と、
を有することを特徴とする通信制御装置。
【請求項２】
前記命令受付手段は、前記外部装置からの前記請求命令を受付けることを特徴とする請求項１に記載の通信制御装置。
【請求項３】
前記命令受付手段は、前記識別手段からの前記請求命令を受付けることを特徴とする請求項１に記載の通信制御装置。
【請求項４】
前記識別手段は、検出スケジュール情報を保持するスケジューラ手段と、時計手段と、を有し、
前記識別手段は、前記時計手段による時刻及び前記検出スケジュール情報に基づくタイミングで前記基板ユニットの前記識別情報を請求する請求命令を発し、
前記命令受付手段は、前記識別手段からの前記請求命令を受付けることを特徴とする請求項３に記載の通信制御装置。
【請求項５】
警告表示部をさらに備え、
前記識別手段は、
前記識別情報の内の前記基板ユニットの保守期限年月日を一時蓄積する記憶手段と、
前記時計手段による時刻と前記保守期限年月日とを比較する比較手段と、
前記比較手段により前記時計手段による時刻が前記保守期限年月日以降であることを判別した場合、前記警告表示部に警告指示を発する警告手段と、
を有することを特徴とする請求項４に記載の通信制御装置。
【発明の詳細な説明】
【技術分野】
【０００１】
本発明は、基板ユニットを収容する通信制御装置に関する。
【背景技術】
【０００２】
従来、複数の基板ユニットを収容する通信制御装置として例えば自動電話交換機では、実装された基板ユニットの製造番号や製造年月日等の識別情報を基板ユニット中のプリント基板１枚ずつにバーコード印字されていた。かかるプリント基板を自動電話交換機から１枚ずつ取り出し、そして、人手で印字されたバーコードを、バーコードリーダを使用して読み取り、読み取り結果を例えば表計算ソフト上に入力し編集していた。また、基板ユニットの製造年月日に基づく基板ユニットの保守対応の期限（保守期限）を都度１枚ずつ確認していた。
【０００３】
例えば、特許文献１には、バーコードリーダでバーコードラベルデータを読み取り在庫等の管理を行う商品管理装置が記載されている。特許文献２には、撮像手段で管理対象物を撮像することで管理対象物の在庫状況を管理する在庫管理装置が記載されている。
【先行技術文献】
【特許文献】
【０００４】
【特許文献１】特昭６３−１６０９０７号公報
【特許文献２】特開２０１８−１６４７２号公報
【発明の概要】
【発明が解決しようとする課題】
【０００５】
しかしながら、上記のバーコード読み取り方式では、バーコードリーダがなければ識別情報を読み取りできない。また、人が表計算ソフトとバーコードリーダを交互に操作することでデータ編集を行うので、識別情報の入力の人為的なミスが発生するという課題があった。さらに、基板ユニットを自動電話交換機に実装した後には、バーコードが読み取りづらくなってしまう場合がある。またさらに、製造年月日情報を含むバーコードの読み取り確認を忘れた際に、基板ユニットをその保守期限が切れたまま運用してしまう課題がある。
【０００６】
本発明は、上記した従来の課題に鑑みなされたものであり、通信制御装置に実装された基板ユニットの識別情報の読み取りにおける入力の人為的なミスを減少できる通信制御装置を提供することを目的とする。
【課題を解決するための手段】
【０００７】
本発明の通信制御装置は、交換自在に実装されかつ識別情報を保持する不揮発性メモリを各々が有する１以上の基板ユニットと、
前記基板ユニットを識別する識別手段と、
前記基板ユニットの前記識別情報を請求する請求命令を受付ける命令受付手段と、
前記請求命令に基づき、前記基板ユニットから前記識別情報を検出して前記識別手段に保持させる検出手段と、
通信可能な外部装置へ、前記検出手段による検出結果の前記識別情報を通知する通知手段と、
を有することを特徴とする。
【発明の効果】
【０００８】
本発明の通信制御装置によれば、通信制御装置自体が基板ユニットからの識別情報を読取る機能とデータ編集機能を有するので、基板ユニットの識別情報を確認する行為において、バーコード読み取りとデータ編集操作が必要なくなる。さらに、外部装置のメンテナンス端末ＰＣの画面に識別情報の一覧表示し、警告表示部をさらに備える場合、警告音等で基板ユニットの保守期限切れを通知できる効果が得られる。
【図面の簡単な説明】
【０００９】
【図１】本発明の実施例の通信制御装置を含むシステム構成例の概略説明図である。
【図２】実施例の通信制御装置の構成を示すブロック図である。
【図３】実施例の通信制御装置の動作を示すシーケンス図である。
【図４】実施例の通信制御装置の動作を示す他のシーケンス図である。
【図５】実施例の通信制御装置の動作を示すさらなる他のシーケンス図である。
【図６】実施例の通信制御装置の動作フロー図である。
【図７】実施例の通信制御装置の基板ユニット番号の収集日時、保守期限、製造番号及び製造年月日の識別情報の一覧を示す概略図である。
【図８】実施例の通信制御装置の他の動作フロー図である。
【発明を実施するための形態】
【００１０】
以下、本発明の実施例による通信制御装置の自動電話交換機について、図面を参照して説明する。なお、以下の実施例における説明及び添付図面においては、実質的に同一又は等価な部分には同一の参照符号を付し、重複した説明は省略する。さらに、本発明は以下の実施例に限定されるものではない。
【００１１】
［システム構成例］
図１は、本発明による実施例の自動電話交換機である通信制御装置１００を含むシステム構成例の概略説明図である。システム構成の一例としては、通信制御装置１００に通信網ＮＷが接続され、この通信網ＮＷに接続された複数の通信端末ＣＴＴ（又は他の通信網）で構成される。通信網ＮＷの接続形態は、インターネットの他、例えば電話回線網、衛星通信網等の公衆回線網や、各種のＬＡＮ（Local Area Network）、ＷＡＮ（Wide Area Network）、ＶｏＰＮ（Voice over Packet Network）のような専用回線網を含むものであってもよい。通信端末ＣＴＴは、固定電話機、携帯電話機、ＰＨＳ電話機、携帯通信端末及びパーソナルコンピュータ等の接続可能であるものである。なお、通信制御装置１００には、メンテナンス端末ＰＣに接続され得る。通信制御装置１００は、シェルフ（すなわち架）構造を取るＡＴＣＡ（Advanced Telecom Computing Architecture）に規定されるμＴＣＡ規格に沿った通信制御装置でもよい。通信制御装置１００はコンピュータ装置であり、図示しないが、ＣＰＵ（Central Processing Unit）と、ＲＡＭ（Random Access Memory）、ハードディスク装置やＳＳＤ（solid state drive）等の記憶部を含み、記憶部に格納されたプログラムに従い、ＣＰＵがＲＡＭを一次記憶用ワークメモリとして利用して、その構成機器（例えば後述の基板ユニットや制御架）の複数同士が内部バスや内部ケーブルで接続され、独自のソフトウェア制御により構成機器相互の通信が可能となるように構成されている。
【００１２】
［メンテナンス端末］
メンテナンス端末ＰＣは、メンテナンス担当者の操作により通信制御装置１００と共に後述の基板ユニットを監視し、保守し、操作する機能を備えている。メンテナンス端末ＰＣは、図示しないが、ＣＰＵと、ＲＡＭ、ハードディスク装置やＳＳＤ等の記憶部を含み、記憶部に格納されたプログラムに従い、ＣＰＵがＲＡＭを一次記憶用ワークメモリとして利用するパーソナルコンピュータ等のである。メンテナンス端末ＰＣは、キーボード等の入出力装置や、ＵＳＢ（Universal Serial Bus）や、ネットワーク接続部（NIC:Network Interface Card）をも含む。なお、メンテナンス端末ＰＣは、後述の制御架に直接接続されていてもよい。
【００１３】
［通信制御装置］
図１に示すように通信制御装置１００は、収容架１０１と制御架１０２と警告表示部１０３とを備える。図２はその通信制御装置１００の構成を示すブロック図である。
【００１４】
［収容架と基板ユニット］
収容架１０１は、電子回路部品を搭載したプリント基板を備えた基板ユニット１１３を複数搭載できる要素である。収容架１０１は、その筐体に設けたバックボードに、筐体前面の開口部から挿入した基板ユニット１１３を並列にプラグイン接続して構成されている。基板ユニット１１３は、収容架１０１に交換自在に実装される。収容架１０１に実装された基板ユニット１１３はコネクタを有し、コネクタを介して外部装置と通信することができる。なお、各種の基板ユニット１１３を実装収容した収容架１０１を複数個重ねる構成の通信制御装置もある。
【００１５】
各々の基板ユニット１１３は、情報を格納するための不揮発性メモリ１１３ｍを有する。不揮発性メモリ１１３ｍは、格納された情報を電気又は光にて消去する指示を出さない限り消去されない不揮発性半導体メモリであり、目視では知覚できない形態の情報を記憶できる。不揮発性メモリ１１３ｍは、例えば、ＥＰＲＯＭ（Erasable Programmable Read Only Memory）、ＥＥＰＲＯＭ（Electrically Erasable PROM）等のいわゆるＰＲＯＭ（Programmable ROM）等のＲＯＭやフラッシュメモリ（Flash Memory）等である。フラッシュメモリは、読みとるだけでなく書き換え可能な不揮発性半導体メモリである。
【００１６】
また不揮発性メモリ１１３ｍに格納される情報は、例えば、基板ユニット１１３の製造年月日、製造番号、製造場所、型式や定格、製造元、製造条件、仕向け先、使用している部品、基板ユニット１１３の形式や電気性能等の識別情報である。
【００１７】
不揮発性メモリ１１３ｍには、実装される前に、これら識別情報が書き込み手段（図示せず）によって書き込まれている。そして通信制御装置１００が設置場所に設置された後、これらの識別情報を不揮発性メモリ１１３ｍから検出され読み出し、識別情報を示す信号（以下、単に識別データとも称する）を、接続されたメンテナンス端末ＰＣに送信ができる。また、通信制御装置１００の不揮発性メモリ１１３ｍから制御架１０２を介して識別データを直接読み出すこともできる。さらに、不揮発性メモリ１１３ｍが書き換え可能な不揮発性半導体メモリである場合、実装された後に、識別情報を書き込んでもよい。
【００１８】
［制御架］
制御架１０２は通信制御装置１００の全体を制御するコンピュータ装置であり、複数の基板ユニット１１３を制御する機能を有する。制御架１０２は、図２に示すように、ソフトウェアのオペレーティングシステム（Operating System:OS）上でＣＰＵが実行する所定のプログラムで、以下の識別部ＤＳＳ、スケジューラ部ＳＣＨ、タイマＴＭＳ、記憶部ＤＳＳｍ、比較部ＣＰＳ、警告部ＡＬＳ、命令受付部ＯＲＳ、検出部ＤＴＳ、及び通知部ＮＴＳを実現することができる。
【００１９】
識別部ＤＳＳは、基板ユニット１１３を識別する。識別部ＤＳＳは、検出スケジュール情報を保持するスケジューラ部ＳＣＨと、時計手段であるタイマＴＭＳと、を有する。また、識別部ＤＳＳは、基板ユニット１１３から例えば検出される識別データの内の基板ユニット１１３の保守期限年月日を一時蓄積する記憶部ＤＳＳｍを有する。
【００２０】
識別部ＤＳＳは、タイマＴＭＳによる時刻及び前記検出スケジュール情報に基づくタイミングで、例えば定期的に又は所定日程で、基板ユニット１１３にその識別データを請求する請求命令を発することができる。すなわち、制御架１０２内の識別部ＤＳＳのスケジューラ部ＳＣＨにより、自動でスクリプト要求を投入可能である。
【００２１】
識別部ＤＳＳは、更に、タイマＴＭＳによる時刻と前記保守期限年月日とを比較する比較部ＣＰＳと、比較部ＣＰＳによりタイマＴＭＳによる時刻が前記保守期限年月日以降であることを判別した場合、警告表示部１０３に警告指示を発する警告部ＡＬＳと、を有する。
【００２２】
命令受付部ＯＲＳは、基板ユニット１１３の識別データを請求する請求命令を受付ける。命令受付部ＯＲＳは、メンテナンス端末ＰＣからの前記請求命令を受付ける。また、命令受付部ＯＲＳは、識別部ＤＳＳからの前記請求命令（スクリプト要求）をも受付ける。
【００２３】
検出部ＤＴＳは、前記請求命令に基づき、収容架１０１に実装された基板ユニット１１３から識別データを検出する。検出部ＤＴＳは、基板ユニット１１３に前記請求命令が要求（オーダ）として送る。そして、基板ユニット１１３は、不揮発性メモリ１１３ｍの中に記録された識別情報を読み出してイベント情報として検出部ＤＴＳに送り返す。記憶部ＤＳＳｍは、順次、イベント情報として識別データの内の基板ユニット１１３の保守期限年月日を一時蓄積する。
【００２４】
通知部ＮＴＳは、通信可能なメンテナンス端末ＰＣへ、検出部ＤＴＳによる検出結果の識別データをスクリプト結果として送信処理する。
【００２５】
［警告表示部］
警告表示部１０３は、制御架１０２からの指令に応じて周囲に警告音を鳴動するスピーカや点滅光を発するＬＥＤを含む自動通知部である。すなわち、記憶部ＤＳＳｍに一時蓄積したイベント情報において、事前に定めた保守期限年月日を経過した基板ユニット１１３があると、警告部ＡＬＳが、警告表示部１０３に警告指示命令を発して警告表示部１０３が鳴動する。
【００２６】
（保守期限監視システムの動作）
図３に示すように制御架１０２に識別データをメンテナンス端末ＰＣへ送信させる契機タイミングとしては、次の３パターンある。パターン１はメンテナンス端末ＰＣの操作にて制御架１０２に識別データを任意に送信させる方法、そして、パターン２は制御架１０２自体の設定にて制御架１０２に定期的に又は所定日時で識別データを送信させる方法、そして、パターン３は制御架１０２自体の設定にて制御架１０２に定期的に又は所定日時で識別データを送信させ、識別データに応じて警告処理をさせる方法である。なお、制御架１０２（通信制御装置１００）とメンテナンス端末ＰＣとの間は、ＨＴＴＰ（Hypertext Transfer Protocol）、ＨＴＴＰＳ（Hypertext Transfer Protocol Secure）、ＦＴＰ（File Transfer Protocol）、Ｔｅｌｎｅｔ（Teletype network）、ＳＳＨ（Secure Shell）等の通信プロトコル（Communications protocol）に基づきやりとり（送受信）が行われる。
【００２７】
（パターン１）
まず、図３のシーケンス図を参照してパターン１のように設定されている場合について説明する。図３に示すように、メンテナンス端末ＰＣが通信線を介して要求信号を制御架１０２に送信する（Ｓ１）。メンテナンス端末ＰＣの要求信号に応じて制御架１０２が当該要求信号を基板ユニット１１３に送信する（Ｓ２）。基板ユニット１１３は、制御架１０２の要求信号に応じて識別データを制御架１０２に送信する（Ｓ３）。制御架１０２は、当該受信した識別データを、通信線を介してメンテナンス端末ＰＣに送信する（Ｓ４）。メンテナンス端末ＰＣは、識別データを受信し、該データの蓄積を行う（Ｓ５）。以上のような処理ステップにより、実装された基板ユニット１１３の識別データがメンテナンス端末ＰＣに蓄積されて監視される。メンテナンス端末ＰＣにより蓄積された識別情報を確認した後に、保守期限切れの基板ユニットを収容する通信制御装置を停止させて、当該基板ユニットを交換することができる。
【００２８】
（パターン２）
次に、図４のシーケンス図を参照してパターン２の制御架１０２自体の設定により定期的に識別データを送信するように設定されている場合について説明する。図４のシーケンスは、メンテナンス端末ＰＣが通信線を介して要求信号を制御架１０２に送信するステップ（Ｓ１）を実行せずに、これに代えて、制御架１０２自体が基板ユニット１１３に対して識別データの送信を要求する要求信号を定期的に又は所定日程で送信する以外、上記のパターン１と同一である。パターン１と同様に、メンテナンス端末ＰＣにより蓄積された識別情報を確認した後に、保守期限切れの基板ユニットを収容する通信制御装置を停止させて、当該基板ユニットを交換することができる。
【００２９】
（パターン３）
次に、図５のシーケンス図を参照して、パターン３の制御架１０２自体の設定にて制御架１０２に定期的に識別データを送信させ、さらに識別データに応じて警告処理をさせる場合について説明する。本実施例は、図４に示すシーケンス（パターン２）に加えて、制御架１０２自体が警告表示部１０３とメンテナンス端末ＰＣに対して警告指示する指示信号を送信する処理を実行する以外、上記のパターン２と同一である。メンテナンス端末ＰＣにより警告された識別情報を確認した後に、通信制御装置を停止させて、基板ユニット１１３を交換することができる。また、メンテナンス端末ＰＣによる警告した後に、メンテナンス端末ＰＣにより警告表示部１０３に警告指示を送信して、設置場所に注意喚起すれば、遠隔操作により通信制御装置の停止が可能となる。
【００３０】
以上のパターンのいずれによっても、人手を介さずに、通信制御装置１００に識別データを収集させ、設置場所へのメンテナンス担当者に連絡するまでの時間を大幅に短縮することができる。
【００３１】
（動作の説明）
図２の構成図を踏まえて、通信制御装置１００の具体的動作を説明する。図６に、本実施例の通信制御装置の動作フロー図の一例を示す。なお、通信制御装置１００、メンテナンス端末ＰＣにはＪａｖａＳｃｒｉｐｔ（登録商標）等が搭載され、メンテナンス端末ＰＣにはブラウザソフトが搭載されているものとする。すなわち、メンテナンス端末ＰＣには通信制御装置１００の管理ソフトウェアがインストールされており、通信制御装置１００からのスクリプト結果を表示する機能を有しているものとする。また、ＪａｖａＳｃｒｉｐｔ（登録商標）における「イベント」とは、通信制御装置１００のウェブページ上で発生するあらゆるアクションの総称である。ここで「イベント」は、主に、不揮発性メモリ１１３ｍの中に記録された識別情報特に保守期限年月日や製造期限年月日を読み出すアクションと、警告指示を出すアクションと、警告指示を停止するアクションがある。＜ｓｃｒｉｐｔ＞は、ＪａｖａＳｃｒｉｐｔ（登録商標）の「スクリプト」を記述するために用いる。＜ｓｃｒｉｐｔ＞タグ内にＪａｖａＳｃｒｉｐｔ（登録商標）の命令「スクリプト」を書き込むことで、ウェブページの読み込みと同時に「スクリプト」が実行される。ここで「スクリプト」は、主に、揮発性メモリ１１３ｍの中に記録された識別情報特に保守期限年月日や製造期限年月日を読み出す命令と、警告指示を出す命令と、警告指示を停止する命令がある。メンテナンス端末ＰＣからウェブページでＣＬＩ（コマンド・ライン・インターフェイス）形式又は対話形式でのスクリプトの投入が選べる場合、ＣＬＩ形式で入力し送信するものとする。メンテナンス端末ＰＣディスプレイには自動でスクリプト結果が表示される。
【００３２】
（動作の説明）
図６に示すスクリプト手動（随時）投入時の動作シーケンスを参照すると、まず、メンテナンス端末ＰＣの画面はウェブページのスクリプト投入待ちの状態であり、本体のキーポードより、ＣＬＩ形式でスクリプトが投入されて、メンテナンス端末ＰＣは、投入されたスクリプトを、通信制御装置１００の制御架１０２に送信する（Ｓ１０）。
【００３３】
制御架１０２は、スクリプト内容の目的が基板ユニット１１３の識別情報の確認であることを受信する（Ｓ１１）と、通信制御装置１００の収容架１０１に搭載され実装された基板ユニット１１３の全てに対して、識別情報の確認の要求を送信する。
【００３４】
すなわち、制御架１０２は、識別情報収集ループとして、実装基板ユニットの初期値Ｉ＝１とし、対象基板ユニット数Ｉ＝Ｘ（実装されている基板ユニット全数）まで以下の識別情報収集ループ処理を繰り返し処理（インクリメント１）する（Ｓ１２）。
【００３５】
実装された基板ユニット１１３に、識別情報の確認の要求を送信する（Ｓ１３）。
【００３６】
要求を受信した基板ユニット１１３（Ｓ１４）には予め１枚に１セットずつ識別情報が記録されているので、基板ユニット１１３は識別情報の結果をイベント情報として通信制御装置１００の制御架１０２に送り返す（Ｓ１５）。
【００３７】
通信制御装置１００の制御架１０２はイベント情報を受信（Ｓ１６）し、受信したイベント情報を記憶部ＤＳＳｍに一時蓄積（Ｓ１７）する。
【００３８】
次に、以上の識別情報収集ループが、実装基板ユニットの初期値Ｉ＝１とし、対象基板ユニット数Ｉ＝Ｘまで繰り返された後（Ｓ１８）、当該識別情報収集ループが終わる。
【００３９】
次に、蓄積したイベント情報をスクリプト結果としてメンテナンス端末ＰＣ本体に送り返す（Ｓ１９）。
【００４０】
メンテナンス端末ＰＣはスクリプト結果として全ての基板ユニット１１３から受信（Ｓ２０）し、例えば、図７に示すような基板ユニット番号１〜Ｘの収集日時、保守期限、製造番号及び製造年月日の識別情報の一覧をディスプレイ画面に表示（Ｓ２１）し、その記憶装置に結果を蓄積する（Ｓ２２）。受信したスクリプト結果に情報がない、若しくはスクリプト結果が何らかの理由で読み取れない場合の基板ユニット１１３について、メンテナンス端末ＰＣはブランク画面を表示する。
【００４１】
次に、図２の構成図を踏まえて、図８に示す通信制御装置１００の警告表示部１０３の警告鳴動時の動作シーケンスを説明する。図８に示す動作シーケンスと図６に示す動作シーケンスは、ステップ（Ｓ１２）〜（Ｓ２２）は同一なので、異なるステップを主に説明する。
【００４２】
通信制御装置１００の制御架１０２（識別部ＤＳＳ）にはスケジューラ部ＳＣＨと協働するタイマＴＭＳがあり、例えば、識別部ＤＳＳは毎正時等の定刻になることを判別（Ｓ１１ａ）し、該定刻になると、制御架１０２が自動で識別情報の確認のスクリプト受信時と同じスクリプト投入を行う（Ｓ１１ｂ）。すなわち、命令受付部ＯＲＳは、識別部ＤＳＳからの前記請求命令（スクリプト要求）を受付ける。
【００４３】
スクリプト内容の目的が識別情報の確認であると識別されると、通信制御装置１００の収容架１０１に搭載され実装された基板ユニット１１３の全てに対して、識別情報の確認の要求を送信する。すなわち、制御架１０２は上記の識別情報収集ループ処理（Ｓ１２）〜（Ｓ１８）を実行し、更に上記のステップ（Ｓ１９）〜（Ｓ２２）を実行すると同時に、タイマＴＭＳによる現在の年月日情報とイベント情報として受信した基板ユニット１１３の保守期限年月日の一覧とを比較し、既に保守期限の切れた製造年月日があるか否か判別し（Ｓ２３）、保守期限の切れ基板ユニットがあれば（Ｓ２３：Ｙ）、通信制御装置１００の警告表示部１０３に警告を指示する（Ｓ２４）。警告表示部１０３が警告の指示を受信する（Ｓ２５）と警告処理を実行して鳴動する（Ｓ２６）。
【００４４】
なお、制御架１０２による警告表示部１０３への上記警告の指示（Ｓ２４）と同時にメンテナンス端末ＰＣへ上記警告の指示を送信することもできる。
【００４５】
上記警告の指示を受信したメンテナンス端末ＰＣは上記警告の指示を表示する（Ｓ２８）。
【００４６】
ここで、警告表示部１０３の鳴動した警告を停止したい場合、メンテナンス端末ＰＣ本体のキーボードより、会話形式若しくはコマンドラインに警告停止のスクリプトを投入（Ｓ２９）すれば、スクリプト送信を行い（Ｓ３０）、通信制御装置１００の制御架１０２が通信制御装置１００の警告表示部１０３に警告停止を指示し（Ｓ３１）、警告表示部１０３がそれを判別すれば（Ｓ３２）、警告音を停止する（Ｓ３３）。
【００４７】
（効果の説明）
以上のように本実施例によれば、バーコードリーダが無くても通信制御装置１００に搭載され実装された基板ユニット１１３の不揮発性メモリ１１３ｍに識別情報を配録しておくことで、メンテナンス担当者が任意、若しくは自動でメンテナンス端末ＰＣ画面に表示された一覧を容易に確認することが可能になる。
【００４８】
また、自動で表示されると同時に、警告音で警報が発報され、視覚だけでなく、聴覚でも保守期限切れを確認することが可能となる。
【００４９】
本実施例では、通信制御装置１００の収容架１０１の搭載基板ユニットに適用した例で説明したが、本発明は、通信制御装置１００の制御架１０２の搭載基板や、デジタルインタフェースの収容端未等の要求イベントが送受信可能な機材にも適用可能である。
【符号の説明】
【００５０】
１００…通信制御装置、１０１…収容架、１０２…制御架、１０３…警告表示部、１１３…基板ユニット、１１３ｍ…不揮発性メモリ、ＰＣ…メンテナンス端末。
【図１】
2020141310.tif 000003
【図２】
2020141310.tif 000004
【図３】
2020141310.tif 000005
【図４】
2020141310.tif 000006
【図５】
2020141310.tif 000007
【図６】
2020141310.tif 000008
【図７】
2020141310.tif 000009
【図８】
2020141310.tif 000010